(57)【要約】固体メモリ記憶装置と、その使用方法は、ホストから無線で送信されたデータを記憶し、ホストへ無線でデータを送信する処理を含んでいる。記憶装置はホストから無線で受信された超広帯域の書込み信号を復調し、無線プロトコル書込み信号を出力するＲＦモジュールを有する。無線プロトコル制御装置は無線プロトコル書込み信号をＵＳＢプロトコル書込み信号へ変換するプロトコル変換層を有している。マイクロ制御装置はＵＳＢプロトコル書込み信号から書込みコマンドを抽出する機能抽出層を有し、書込みコマンドに応答してＵＳＢプロトコル書込み信号から抽出されたデータの固体メモリへの書込みを制御し、固体メモリにデータを記憶する。マイクロ制御装置はまた、ホストから受信された読取りコマンドに応答して固体メモリに記憶されたデータを読取り、ＵＳＢプロトコル読取り信号を無線プロトコル制御装置へ出力する。プロトコル変換層はまたＵＳＢプロトコル読取信号を無線プロトコル読取信号に変換する。ＲＦモジュールはまた無線プロトコル読取信号を変調し、ホストへ無線送信するために超広帯域信号を出力する。【選択図】図１
2008503154.tif 000002
【特許請求の範囲】
【請求項１】
ホストから無線で送信されたデータを記憶し、ホストへ無線でデータを送信するための固体メモリ記憶装置において、
ホストから無線で受信された超広帯域の書込み信号を復調し、無線のプロトコル書込み信号を出力するＲＦモジュールと、
無線プロトコル書込み信号をＵＳＢプロトコル書込み信号へ変換するプロトコル変換層を有している無線プロトコル制御装置と、
ＵＳＢプロトコル書込み信号から書込みコマンドを抽出するための機能抽出層を有し、書込みコマンドに応答して、ＵＳＢプロトコル書込み信号から抽出されたデータの固体メモリへの書込みを制御して、固体メモリ中にデータを記憶するマイクロ制御装置とを具備しており、
前記マイクロ制御装置はさらに、ホストから受信された読取りコマンドに応答して固体メモリ中に記憶されているデータを読取り、ＵＳＢプロトコル読取り信号を無線プロトコル制御装置へ出力し、
前記プロトコル変換層はさらにＵＳＢプロトコル読取信号を無線プロトコル読取信号に変換し、
前記ＲＦモジュールはさらに無線プロトコル読取信号を変調し、ホストへ無線送信するために超広帯域信号を出力する固体メモリ記憶装置。
【請求項２】
超広帯域信号は少なくとも７ＧＨｚの帯域幅の周波数スペクトルを有している請求項１記載の固体メモリ記憶装置。
【請求項３】
無線プロトコル書込み信号はＷＵＳＢプロトコル書込み信号であり、無線プロトコル制御装置はＷＵＳＢプロトコル書込み信号からＵＳＢプロトコル書込み信号を抽出するＵＳＢ変換層を有するＷＵＳＢ制御装置であり、無線プロトコル読取信号はＷＵＳＢプロトコル読取信号である請求項１または２記載の固体メモリ記憶装置。
【請求項４】
さらに、固体メモリ記憶装置と一体のアンテナを具備し、そのアンテナは無線プロトコル読取および書込み信号を無線でホストへ送信し、無線でホストから受信する請求項１乃至３のいずれか１項記載の固体メモリ記憶装置。
【請求項５】
マイクロ制御装置はメモリ管理を行う請求項１乃至４のいずれか１項記載の固体メモリ記憶装置。
【請求項６】
マイクロ制御装置は、ホストからの論理メモリを固体メモリの物理的メモリへ復号する請求項５記載の固体メモリ記憶装置。
【請求項７】
固体メモリはＮＡＮＤアーキテクチャを有している請求項１乃至６のいずれか１項記載の固体メモリ記憶装置。
【請求項８】
固体メモリは圧縮されたフォーマットでデータを記憶する少なくとも８ＭＢの不揮発性の固体メモリを具備し、メモリ記憶装置はさらにデータを圧縮および圧縮解除するための組込まれたエンコーダ／デコーダエンジンを具備している請求項１乃至７のいずれか１項記載の固体メモリ記憶装置。
【請求項９】
さらに、一体的な設けられたＵＳＢ雄型コネクタを具備している請求項１乃至８のいずれか１項記載の固体メモリ記憶装置。
【請求項１０】
さらに、マイクロ制御装置に結合されて制御される生物測定ベースの認証モジュールを具備し、固体メモリへのアクセスは、生物測定ベースの認証モジュールがホストのユーザのアイデンティティを認証した場合に、ホストに対して承認され、そうでなければ固体メモリへのアクセスはそのホストに対して否認される請求項１乃至９のいずれか１項記載の固体メモリ記憶装置。
【請求項１１】
生物測定ベースの認証モジュールはユーザの指紋からデータを捕捉するための指紋センサを含んでいる請求項１０記載の固体メモリ記憶装置。
【請求項１２】
ホストはパーソナルコンピュータである請求項１乃至１１のいずれか１項記載の固体メモリ記憶装置。
【請求項１３】
ポータブルな電源と、
ホストと固体メモリ記憶装置との間の通信を監視し、ホストと固体メモリ記憶装置との間で通信を検出しないときには、ポータブルな電源から最小の電力を供給し、ホストと固体メモリ記憶装置との間で通信を検出したときには、ポータブルな電源から最大の電力を供給する電力管理システムとを具備している請求項１乃至１２のいずれか１項記載の固体メモリ記憶装置。
【請求項１４】
前記電力管理システムはさらにポータブルな電源の再充電を管理する請求項１３記載の固体メモリ記憶装置。
【請求項１５】
ポータブルな電源はアルカリ電池、再充電可能な電池、ボタンセルおよび燃料電池からなるグループから選択される請求項１３記載の固体メモリ記憶装置。
【請求項１６】
ホストから無線で送信されたデータを記憶し、ホストへ無線でデータを送信するための固体メモリ記憶装置の使用方法において、
ホストから無線で超広帯域の書込み信号を受信し、
ＲＦモジュールの物理プロトコル層により超広帯域の書込み信号を復調し、無線プロトコル書込み信号を出力し、
無線プロトコル制御装置のプロトコル変換層により無線プロトコル書込み信号をＵＳＢプロトコル書込み信号へ変換し、
マイクロ制御装置の機能抽出層によりＵＳＢプロトコル書込み信号から書込みコマンドを抽出し、その書込みコマンドに応答して、マイクロ制御装置によりＵＳＢプロトコル書込み信号から抽出されたデータの固体メモリへの書込みを制御して、固体メモリ中にデータを記憶し、
前記マイクロ制御装置によって、ホストから受信された読取りコマンドに応答して固体メモリに記憶されたデータを読取り、マイクロ制御装置からＵＳＢプロトコル読取り信号を無線プロトコル制御装置へ出力し、
無線プロトコル制御装置のプロトコル変換層によりＵＳＢプロトコル読取信号を無線プロトコル読取信号に変換し、
ＲＦモジュールにより無線プロトコル読取信号を変調し、ホストへ無線送信するために超広帯域信号を出力するステップを含んでいる方法。
【請求項１７】
超広帯域信号は少なくとも７ＧＨｚの帯域幅の周波数スペクトルを有している請求項１６記載の方法。
【請求項１８】
無線プロトコル書込み信号はＷＵＳＢプロトコル書込み信号であり、無線プロトコル制御装置はＷＵＳＢプロトコル書込み信号からＵＳＢプロトコル書込み信号を抽出するＵＳＢ変換層を有するＷＵＳＢ制御装置であり、無線プロトコル読取信号はＷＵＳＢプロトコル読取信号である請求項１６または１７記載の方法。
【請求項１９】
書込みデータＷＵＳＢ信号を無線でホストから受信し、無線でホストへ送信するステップは両者とも固体メモリ記憶装置と一体のアンテナを使用して行われる請求項１６乃至１８のいずれか１項記載の方法。
【請求項２０】
さらに、マイクロ制御装置により行われるメモリ管理ステップを含んでいる請求項１６乃至１９のいずれか１項記載の方法。
【請求項２１】
メモリ管理ステップの一部として、マイクロ制御装置はホストからの論理メモリを固体メモリの物理的メモリへ復号する請求項１６乃至２０のいずれか１項記載の方法。
【請求項２２】
固体メモリはＮＡＮＤアーキテクチャを有している請求項１６乃至２１のいずれか１項記載の方法。
【請求項２３】
固体メモリは少なくとも８ＭＢの不揮発性の固体メモリを具備し、さらに圧縮されたフォーマットでデータを記憶し、データの圧縮と圧縮解除のために組込まれたエンコーダ／デコーダエンジンを使用して、圧縮されたデータフォーマットのデータを読取るステップを含んでいる請求項１６乃至２２のいずれか１項記載の方法。
【請求項２４】
固体メモリ記憶装置はさらに、一体的に設けられたＵＳＢ雄型コネクタを具備している請求項１６乃至２４のいずれか１項記載の方法。
【請求項２５】
固体メモリ記憶装置はさらに、マイクロ制御装置に結合されて制御される生物測定ベースの認証モジュールを具備し、さらに、
ａ）生物測定ベースの認証モジュールがホストのユーザのアイデンティティを認証するときには、ホストに対して固体メモリへのアクセスを承認し、
ｂ）生物測定ベースの認証モジュールがホストのユーザのアイデンティティを認証できないときには、固体メモリへのアクセスを否認する請求項１６乃至２５のいずれか１項記載の方法。
【請求項２６】
生物測定ベースの認証モジュールはユーザの指紋からデータを捕捉するための指紋センサを含んでいる請求項２５記載の方法。
【請求項２７】
ホストは、パーソナルコンピュータである請求項１６乃至２６のいずれか１項記載の方法。
【請求項２８】
固体記憶装置はさらにポータブルな電源と、電力管理システムとを具備し、電力管理システムはさらに、
ａ）ホストと固体メモリ記憶装置との間の通信を監視し、
ｂ）ホストと固体メモリ記憶装置との間で通信を検出しないときには、ポータブルな電源から最小の電力を供給し、
ｃ）ホストと固体メモリ記憶装置との間で通信を検出したときには、ポータブルな電源から最大の電力を供給するステップを行う請求項１６乃至２７のいずれか１項記載の方法。
【請求項２９】
電力管理システムはまたポータブルな電源の再充電を管理する請求項２８記載の方法。
【請求項３０】
ポータブルな電源はアルカリ電池、再充電可能な電池、ボタンセルおよび燃料電池からなるグループから選択される請求項２９記載の方法。
【発明の詳細な説明】
【技術分野】
【０００１】
本発明は、データ転送および記憶に関する。特に本発明は固体外部データ記憶装置およびその他の電子装置との間のデータの無線転送、記憶、再呼出しに関する。
【背景技術】
【０００２】
伝統的な“有線の”ＵＳＢの機能を有するが、有線接続を必要としない無線のユニバーサルシリアルバス（ＷＵＳＢ）標準方式が準備されている（その全体が本発明で参考文献とされている文献“Wireless USB: The First Speed Personal Wireless Interconnect”、“White Paper”、インテル、2004年を参照）。ＷＵＳＢ標準方式は従来技術の有線ＵＳＢの方法のための容易な移行を可能にする装置接続に対して高速度のホストを提供する。ＷＵＳＢトポロジは、それに接続されている装置間で全てのデータトラフィックを開始するホスト（例えばＰＣ）を使用し、タイムスロットおよびデータ帯域幅を、接続されている各装置へ割当てる。その接続は地点間であり、ＷＵＳＢホストとＷＵＳＢ装置との間で誘導される。ホストおよび接続されている装置はクラスタと呼ばれる。有線のＵＳＢとは異なって、接続トポロジにはハブは存在しない。
【０００３】
ＷＵＳＢ標準方式は超広帯域（ＵＷＢ）を使用する無線で実行される。ＵＷＢ標準方式は文献“Ultra-Wideband (UWB) Technology: Enabling High-speed Wireless Personal Area Networks”および文献“White Paper”、インテル、2004年に記載されており、これはその全体が本発明で参考文献とされている。ＵＷＢの周波数範囲は３．１ＧＨｚ乃至１０．６ＧＨｚの帯域幅７．５ＧＨｚである。この７．５ＧＨｚ幅のスペクトルは幾つかの５２８ＭＨｚ帯域に分割されている。ＵＷＢの使用により、無線のＵＳＢが１０メートルの範囲内で毎秒４８０Ｍｂまでのデータ速度を提供することが可能になる。
【発明の開示】
【発明が解決しようとする課題】
【０００４】
無線のＵＳＢのホワイトペーパーは４頁に大容量記憶装置（例えばＨＤＤ、ＤＶＤ−ＲＷ、ＣＤ−ＲＷ等）によりデータを転送するためにＷＵＳＢを使用することを開示している。しかしながら、固体メモリに基づいたポータブル記憶装置によりデータを転送するためにＷＵＳＢを使用する可能性を実現することはできていない。これらのタイプの装置は益々重要になり、本出願人により製造されたＴｈｕｍｂＤｒｉｖｅ（商標）のような装置、またはコンパクトフラッシュ（登録商標）カード、マルチメディアカード、メモリスティック、スマートメディア等を含んでいる。ＷＵＳＢ標準方式により提供される付加的な可搬能力は、このような装置による使用を非常に望ましいものにしている。また、無線のＵＳＢのホワイトペーパーは固体メモリ記憶装置によるＷＵＳＢ標準方式を使用する方法を提供しない。
【０００５】
本発明の出願人に譲渡された2003年１月９日に出版された国際特許出願WO 03/003141号明細書はＩＥＥＥ８０２．１１、ブルートュース（登録商標）、ｉｒＤＡ等のような通信プロトコルを使用する固体メモリをベースとした記憶装置とコンピュータとの間のデータの無線伝送を開示しているが、超広帯域信号の使用、特にさらに高いデータ転送速度を提供するＷＵＳＢプロトコルを開示していない。
【０００６】
超広帯域信号を使用してホストから無線で受信されたデータを記憶し、超広帯域信号を使用してホストへ無線でデータを送信するための固体メモリ記憶装置を有することが望ましい。
【課題を解決するための手段】
【０００７】
本発明は超広帯域を使用してホストから無線で送信されたデータを記憶し、超広帯域を使用してホストへ無線でデータを送信するための固体メモリ記憶装置を提供することによって前述の問題を解決する。
【０００８】
特に、固体メモリ記憶装置と、この装置を使用する方法は、ホストから無線で送信されたデータを記憶し、ホストへ無線でデータを送信する処理を含んでいる。記憶装置はホストから無線で受信された超広帯域の書込み信号を復調し、無線のプロトコル書込み信号を出力するＲＦモジュールを有している。無線プロトコル制御装置は無線プロトコル書込み信号をＵＳＢプロトコル書込み信号へ変換するプロトコル変換層を有している。マイクロ制御装置はＵＳＢプロトコル書込み信号から書込みコマンドを抽出するための機能抽出層を有し、書込みコマンドに応答して、ＵＳＢプロトコル書込み信号から抽出されたデータの固体メモリへの書込みを制御して、固体メモリにデータを記憶する。マイクロ制御装置はまた、ホストから受信された読取りコマンドに応答して固体メモリ中に記憶されたデータを読取り、ＵＳＢプロトコル読取り信号を無線プロトコル制御装置へ出力する。プロトコル変換層はまたＵＳＢプロトコル読取信号を無線プロトコル読取信号に変換する。ＲＦモジュールはまた無線プロトコル読取信号を変調し、ホストへ無線送信するために超広帯域信号を出力する。
【発明を実施するための最良の形態】
【０００９】
本発明は添付図面を伴った以下の詳細な説明により容易に理解されるであろう。この説明を容易にするために、図中の同様の参照符号は同様の構造的素子を示している。  
本発明を本発明の固体メモリ記憶装置101の概略図を示している図１を参照にして説明する。また、本発明の機能を行うプロトコル層の図である図２を参照にして本発明をさらに説明する。固体メモリ記憶装置101はユーザの手のひらに容易に適合でき、可搬に便利なようにユーザのポケット内に容易に適合できるサイズであることが好ましい。
【００１０】
ホスト103は記憶装置101により記憶されるための書込みデータを送信することができる。ホスト103はパーソナルコンピュータ、カメラ、ビデオカメラ、オーガナイザ、ＭＰ３プレーヤ、またはＰＤＡのような外部データ記憶装置の使用により恩恵を得られることのできる任意の処理装置であることができる。ホスト103はＷＵＳＢ制御装置と、ＲＦモジュールと、書込みデータ（書込みデータＷＵＳＢ信号）を含む変調されたＷＵＳＢプロトコルＵＷＢ  ＲＦ信号107を発生し送信するためのアンテナとを含んでいる。
【００１１】
接続はホスト103と記憶装置101との間の地点間である。記憶装置101に加えて、他の記憶装置または他のタイプの装置がクラスタを形成する同じホスト103へ同時に接続されることができる。ホスト103はそれに接続されている装置間で全てのデータトラフィックを開始し、タイムスロットおよびデータ帯域幅を、接続されている各装置に対して割当てる。
【００１２】
アンテナ105は記憶装置101と一体化され、記憶装置101により記憶されている書込みデータを無線で受信する。復調されたＷＵＳＢプロトコル書込み信号111を発生するためにアンテナ105からの書込みデータＷＵＳＢ  ＲＦ信号107はそれを復調する物理的プロトコル層201を有するＲＦモジュール109へ送られる。別の実施形態では、アンテナ105は記憶装置101から離されており、記憶装置101へプラグ接続される。
【００１３】
ＲＦモジュール109はまたメディアアクセス制御層（ＭＡＣ）203を有する。ＭＡＣ203はホスト103と記憶装置101との間のＷＵＳＢデータパケットの流れを制御する。ＭＡＣ203はまた同じチャンネルを横切る異なるホストから送信されるパケットが衝突しないことを保証する。
【００１４】
ＷＵＳＢプロトコル書込み信号111はＷＵＳＢ制御装置113へ通過し、このＷＵＳＢ制御装置113はＷＵＳＢプロトコル書込み信号111から書込みデータＵＳＢプロトコル信号115を抽出するＵＳＢ変換層205を有する。書込みデータＵＳＢプロトコル信号115はその後、マイクロ制御装置117へ送信される。
【００１５】
ホスト103のＷＵＳＢ制御装置と、記憶装置101のＷＵＳＢ制御装置113との両者はＷＵＳＢ信号と標準方式的なＵＳＢ信号との間の変換を行う。
【００１６】
ＷＵＳＢ標準方式は依然として修正を受けているが、本発明の目的に対しては、ＷＵＳＢは超広帯域無線システムとして説明されることができる。特に、周波数スペクトルは少なくとも７ＧＨｚの帯域幅である必要がある。例えば、現在規定されたＵＷＢ仕様では、周波数範囲は３．１ＧＨｚ乃至１０．６ＧＨｚである必要がある。無線の超広帯域接続は地点間であり、無線ＵＳＢホストと無線ＵＳＢ装置との間で導かれる。本発明の１実施形態では、無線ＵＳＢホストは最大で１２７の無線ＵＳＢ装置へ理論的に接続することができる。
【００１７】
本発明では、ＷＵＳＢ信号ではなく、他のプロトコルを有する超広帯域（帯域≧７ＧＨｚ）信号が使用されることができる。このような別の実施形態では、ＷＵＳＢ制御装置113は通常、無線プロトコルから他のプロトコルの１つを抽出し、他のプロトコルの１つを無線プロトコルへ戻す変換を行う無線プロトコル制御装置と呼ばれることができる。
【００１８】
マイクロ制御装置117はＵＳＢプロトコル信号115から特別な機能（例えば信号115のデータを固体メモリ119に書込み、固体メモリ119からデータを読取り、または記憶機能を得るような機能）を抽出する機能抽出層207を有する。機能が書き込みデータコマンドであるとき、マイクロ制御装置117は書込みデータコマンドに続いてＵＳＢプロトコル信号115の書込みデータ121を固体メモリに書き込ませる。
【００１９】
マイクロ制御装置117はメモリ管理を行い、ホスト103から固体メモリ119の物理的メモリへ論理的メモリを復号する。固体メモリ119は不揮発性メモリであることが好ましく、例えばＮＡＮＤまたはＮＯＲアーキテクチャ、ＥＰＲＯＭ、ＥＥＰＲＯＭ、ＭＲＡＭまたはＦＲＡＭを有するフラッシュメモリであることができる。
【００２０】
固体メモリ119は少なくとも８ＭＢ（メガバイト）のサイズ、好ましくは１ＧＢ（ギガバイト）を超えるサイズの不揮発性メモリを有することが好ましい。記憶装置101により記憶されることのできるデータ量を増加するため、１実施形態では、データは圧縮されたフォーマットで固体メモリ119に記憶される。マイクロ制御装置117は書込みデータＵＳＢプロトコル信号115を記憶装置101に組み込まれたエンコーダ／デコーダエンジン127へ伝送し、エンコーダ／デコーダエンジン127はその後、信号115を圧縮されたデータへ符号化する。マイクロ制御装置117はその後、圧縮されたデータを記憶するための書込みデータ121として固体メモリ119へ送信する。
【００２１】
別の実施形態では、エンコーダ／デコーダエンジン127はＷＵＳＢ制御装置113とマイクロ制御装置117との間に位置され、それによって符号化信号115をマイクロ制御装置に到達する前に圧縮されたデータへ符号化する。
【００２２】
データは任意の適切な既知のアルゴリズムを使用して圧縮されることができる。エンコーダ／デコーダエンジン127はさらに異なる圧縮フォーマットを生成するために異なる圧縮アルゴリズム間で切り換えるための入力を有することができる。このような実施形態では、固体メモリ119は異なる圧縮フォーマットを有するデータを別々に記憶するために区画されることができる。
【００２３】
大きい記憶容量とデータ圧縮は記憶装置101が大きいマルチメディアファイル、プログラム、オペレーティングシステム等を記憶することを可能にする。
【００２４】
データはコンピュータへ読み出されて返送される前に記憶装置101で無期限に記憶されることができる。さらに固体メモリ119が不揮発性であるとき、メモリは電力が記憶装置101に供給されないときでさえも無期限に記憶されることができる。
【００２５】
ホスト103が固体メモリ119に記憶されているデータ123を読取る必要があるとき、これは書込みデータＷＵＳＢ信号107を送信するのと類似の方法で、マイクロ制御装置117へデータ読取リクエストを送信する。マイクロ制御装置117の抽出層207がデータ読取リクエストを受信するとき、それは固体メモリ119に記憶されているデータ123を読取り、それを読取りデータＵＳＢプロトコル信号124へ変換し、この信号はＷＵＳＢ制御装置113へ送られる。
【００２６】
データが圧縮されたフォーマットで記憶されている実施形態では、マイクロ制御装置117は、読取データＵＳＢプロトコル信号124へ圧縮解除するために、圧縮された読取データＵＳＢプロトコル信号123をエンコーダ／デコーダエンジン127へ送信する。その代わりに、エンコーダ／デコーダエンジン127がＷＵＳＢ制御装置113とマイクロ制御装置117との間に位置されるとき、読取データＵＳＢプロトコル信号124はマイクロ制御装置117を出た後、圧縮解除される。
【００２７】
ＷＵＳＢ制御装置113のＵＳＢ変換層205は、読取データＵＳＢプロトコル信号124を読取データＷＵＳＢプロトコル信号125へ変換し、それはＲＦモジュール109へ送信される。再度、ＲＦモジュール109のＭＡＣ203はホスト103と記憶装置101との間のＷＵＳＢデータパケット流を制御する。ＲＦモジュール109の物理的プロトコル層201は読取データＷＵＳＢ信号125を変調し、信号107をホスト103へ無線送信するために信号125をアンテナ105へ供給する。
【００２８】
記憶装置101は図１に示されているように、記憶装置101と一体の生物測定ベースの認証装置129を含むこともできる。生物測定ベースの認証モジュール129はマイクロ制御装置117に結合され制御される。データの読取または書き込みのための固体メモリ119へのアクセスは、生物測定ベースの認証モジュール129がホスト103のユーザのアイデンティティを認証するならば、ホスト103に対して認められる。そうでなければ、固体メモリ119へのアクセスは否認される。認証モジュール129は記憶装置101に記憶されている秘密データを保護するために使用されることができる。これはユーザが未払いで著作権のある資料に書込みを行うことを阻止するためにも使用されることができる。１実施形態では、生物測定ベースの認証モジュール129はユーザの指紋からデータを捕捉するための指紋センサを含んでいる。その代わりに、他の生物測定データが使用されることもできる。生物測定データは捕捉されたデータと比較するため、生物測定認証装置129中に記憶されることができる。
【００２９】
電源133と電力管理システム135が図１に示されている。電源133はポータブルであることが好ましく、例えばアルカリ電池、再充電可能な電池、またはボタンセル或いは燃料電池であってもよい。
【００３０】
好ましい実施形態では、記憶装置101はポータブルであり、その可搬性を最大にするために、電力の節約が考慮される。電力管理システム135はホストと固体メモリ記憶装置119との間の通信を監視する。電力管理システム135はホスト103と固体メモリ記憶装置101との間で通信が検出されないとき、ポータブルな電源133から最小の電力を提供し、ホスト103と固体メモリ記憶装置119との間で通信を検出したときには、ポータブルな電源133から最大の電力を供給する。電源133が再充電可能であるときには、電力管理システムはまた電源の再充電も管理する。電力管理システム135と電源133との両者の可搬性を改良するために記憶装置101と一体であることが好ましい。
【００３１】
１実施形態では、固体メモリ記憶装置101はまた一体の組込みＵＳＢ雄型コネクタ131を含んでおり、それはホスト103からマイクロ制御装置117へ書込みデータＵＳＢプロトコル信号115を転送し、読取データＵＳＢプロトコル信号124をホスト103へ転送するための有線接続を提供することができる。これはＷＵＳＢではなくＵＳＢ雌型コネクタが取付けられた別の電子装置を有する記憶装置101を使用することが必要であるならば有用である。
【００３２】
前述の説明では、ＷＵＳＢ標準方式を使用するのではなく、これらが超広帯域である限り、特にこれらが３．１ＧＨｚ乃至１０．６ＧＨｚの周波数範囲を含むＵＷＢ標準方式を使用するならば、他の無線標準方式が使用されることができる。本発明では、超広帯域信号は通常、少なくとも幅７．０ＧＨｚの超広帯域幅のスペクトル帯域を有する信号として規定される。
【図面の簡単な説明】
【００３３】
【図１】固体メモリ記憶装置の概略図。
【図２】図１の装置の機能を行うプロトコル層を示す図。
【図１】
2008503154.tif 000003
【図２】
2008503154.tif 000004
【国際調査報告】
2008503154.tif 000005
2008503154.tif 000006
2008503154.tif 000007